【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  少なくとも文字を表示可能な表示手段と、
少なくとも複数の単語及び複数の文例からなる辞書情報を格納する辞書格納手段と、
少なくとも単位文字を入力するための入力手段と、
上記入力手段からの入力及び／又は既に確定した文字列に基づいて、上記表示手段に表示する複数の単語及び／又は文例を上記辞書格納手段から検索する検索手段と、
回転操作に応じて、上記検索手段により検索されて上記表示手段に表示された複数の単語及び／又は文例の中から所望の単語及び／又は文例を選択する選択手段と、
上記選択手段により選択された単語及び／又は文例から、確定した文字列の情報を生成する文字列生成手段と、
少なくとも文字列の情報を送受信可能な送受信手段とを有し、
上記辞書格納手段は、複数の異なる辞書を格納し、
上記検索手段は、上記検索時に、上記辞書格納手段に格納されている複数の異なる辞書を状況に応じて切り替えて使用することを特徴とする携帯端末。
【請求項２】  上記入力手段により入力された仮名文字列を、漢字を含む文字列に変換する仮名漢字変換手段を備えることを特徴とする請求項１記載の携帯端末。
【請求項３】  上記検索手段による上記辞書格納手段の検索と上記仮名漢字変換手段による仮名漢字変換とを適応的にリンクさせるリンク手段を備えることを特徴とする請求項２記載の携帯端末。
【請求項４】  日時を検出する検出手段と、位置を検出する検出手段と、使用アプリケーションを検出する検出手段と、使用者の指向を検出する検出手段と、入力された文脈を検出する検出手段の何れか１つ若しくは組み合わせを備え、
上記検索手段は、上記検索時に、上記辞書格納手段に格納されている複数の異なる辞書を、上記検出手段の検出結果に応じて切り替えて使用することを特徴とする請求項１記載の携帯端末。
【請求項５】  上記辞書格納手段は、上記格納する辞書情報を更新及び／又は追加可能であることを特徴とする請求項１記載の携帯端末。
【請求項６】  記録媒体及び／又は伝送媒体を介して上記辞書情報を取得する辞書情報取得手段を備えることを特徴とする請求項５記載の携帯端末。
【請求項７】  上記検索手段は、上記入力手段から入力された単位文字を先頭の文字として有する複数の単語及び／又は文例を、上記辞書格納手段から検索することを特徴とする請求項１記載の携帯端末。
【請求項８】  上記検索手段は、上記入力手段から入力された単位文字を先頭の文字として有する複数の単語及び／又は文例のうち、出現頻度の高い単語及び／又は文例から順に検索することを特徴とする請求項７記載の携帯端末。
【請求項９】  上記検索手段は、上記入力手段から入力された単位文字を先頭の文字として有する複数の単語及び／又は文例のうち、時間的に近い過去に選択された単語から順に検索することを特徴とする請求項７記載の携帯端末。
【請求項１０】  上記検索手段は、上記入力手段から入力された複数の単位文字をそれぞれ構成要素として含む複数の単語を、上記辞書格納手段から検索することを特徴とする請求項１記載の携帯端末。
【請求項１１】  上記検索手段は、上記入力手段から順番に入力された複数の単位文字を当該入力順でそれぞれ構成要素として含む複数の単語を検索することを特徴とする請求項１０記載の携帯端末。
【請求項１２】  上記検索手段は、上記入力手段から入力された複数の単位文字を構成要素として含む複数の単語のうち、出現頻度の高い単語から順に検索することを特徴とする請求項１０記載の携帯端末。
【請求項１３】  上記検索手段は、上記入力手段から入力された複数の単位文字を構成要素として含む複数の単語のうち、時間的に近い過去に選択された単語から順に検索することを特徴とする請求項１０記載の携帯端末。
【請求項１４】  上記検索手段は、上記既に確定した文字列に続いて出現する複数の単語及び／又は文例を予測して検索することを特徴とする請求項１記載の携帯端末。
【請求項１５】  上記検索手段は、上記既に確定した文字列に続いて出現する頻度の高い単語から順に複数の単語を予測して検索することを特徴とする請求項１４記載の携帯端末。
【請求項１６】  上記検索手段は、上記予測して検索される複数の単語のうち、時間的に近い過去に選択された単語から順に検索することを特徴とする請求項１４記載の携帯端末。
【請求項１７】  少なくとも文字を表示可能な表示手段と、
少なくとも複数の単語及び複数の文例からなる辞書情報を格納する辞書格納手段と、
少なくとも単位文字を入力するための入力手段と、
上記入力手段からの入力及び／又は既に確定した文字列に基づいて、上記表示手段に表示する複数の単語及び／又は文例を上記辞書格納手段から検索する検索手段と、
上記検索手段により検索されて上記表示手段に表示された複数の単語及び／又は文例の中から所望の単語及び／又は文例を選択する選択手段と、
上記入力手段から入力された仮名文字列を漢字を含む文字列に変換する仮名漢字変換手段と、
上記選択手段により選択された単語及び／又は文例と上記仮名漢字変換手段により変換された文字列とから、確定した文字列の情報を生成する文字列生成手段と、
少なくとも文字列の情報を送受信可能な送受信手段とを有し、
上記辞書格納手段は、複数の異なる辞書を格納し、
上記検索手段は、上記検索時に、上記辞書格納手段に格納されている複数の異なる辞書を状況に応じて切り替えて使用することを特徴とする携帯端末。
【請求項１８】  上記選択手段は、回転操作に応じて、上記検索手段により検索されて上記表示手段に表示された複数の単語及び／又は文例の中から所望の単語を選択することを特徴とする請求項１７記載の携帯端末。
【請求項１９】  上記検索手段による上記辞書格納手段の検索と上記仮名漢字変換手段による仮名漢字変換とを適応的にリンクさせるリンク手段を備えることを特徴とする請求項１７記載の携帯端末。
【請求項２０】  日時を検出する検出手段と、位置を検出する検出手段と、使用アプリケーションを検出する検出手段と、使用者の指向を検出する検出手段と、入力された文脈を検出する検出手段の何れか１つ若しくは組み合わせを備え、
上記検索手段は、上記検索時に、上記辞書格納手段に格納されている複数の異なる辞書を、上記検出手段の検出結果に応じて切り替えて使用することを特徴とする請求項１７記載の携帯端末。
【請求項２１】  上記辞書格納手段は、上記格納する辞書情報を更新及び／又は追加可能であることを特徴とする請求項１７記載の携帯端末。
【請求項２２】  記録媒体及び／又は伝送媒体を介して上記辞書情報を取得する辞書情報取得手段を備えることを特徴とする請求項２１記載の携帯端末。
【請求項２３】  上記検索手段は、上記入力手段から入力された単位文字を先頭の文字として有する複数の単語及び／又は文例を、上記辞書格納手段から検索することを特徴とする請求項１７記載の携帯端末。
【請求項２４】  上記検索手段は、上記入力手段から入力された単位文字を先頭の文字として有する複数の単語及び／又は文例のうち、出現頻度の高い単語及び／又は文例から順に検索することを特徴とする請求項２３記載の携帯端末。
【請求項２５】  上記検索手段は、上記入力手段から入力された単位文字を先頭の文字として有する複数の単語及び／又は文例のうち、時間的に近い過去に選択された単語から順に検索することを特徴とする請求項２３記載の携帯端末。
【請求項２６】  上記検索手段は、上記入力手段から入力された複数の単位文字をそれぞれ構成要素として含む複数の単語を、上記辞書格納手段から検索することを特徴とする請求項１７記載の携帯端末。
【請求項２７】  上記検索手段は、上記入力手段から順番に入力された複数の単位文字を当該入力順でそれぞれ構成要素として含む複数の単語を検索することを特徴とする請求項２６記載の携帯端末。
【請求項２８】  上記検索手段は、上記入力手段から入力された複数の単位文字を構成要素として含む複数の単語のうち、出現頻度の高い単語から順に検索することを特徴とする請求項２６記載の携帯端末。
【請求項２９】  上記検索手段は、上記入力手段から入力された複数の単位文字を構成要素として含む複数の単語のうち、時間的に近い過去に選択された単語から順に検索することを特徴とする請求項２６記載の携帯端末。
【請求項３０】  上記検索手段は、上記既に確定した文字列に続いて出現する複数の単語及び／又は文例を予測して検索することを特徴とする請求項１７記載の携帯端末。
【請求項３１】  上記検索手段は、上記既に確定した文字列に続いて出現する頻度の高い単語から順に複数の単語を予測して検索することを特徴とする請求項３０記載の携帯端末。
【請求項３２】  上記検索手段は、上記予測して検索される複数の単語のうち、時間的に近い過去に選択された単語から順に検索することを特徴とする請求項３０記載の携帯端末。
【請求項３３】  少なくとも文字を表示画面に表示する表示工程と、
少なくとも単位文字を入力するための入力工程と、
少なくとも複数の単語及び複数の文例からなる辞書情報を格納する複数の異なる辞書を状況に応じて切り替えて使用し、上記入力工程による入力及び／又は既に確定した文字列に基づいて、上記使用辞書から上記表示画面に表示する複数の単語及び／又は文例を検索する検索工程と、
回転操作に応じて、上記検索工程により検索されて上記表示画面に表示された複数の単語及び／又は文例の中から所望の単語及び／又は文例を選択する選択工程と、
上記選択工程により選択された単語及び／又は文例から、確定した文字列の情報を生成する文字列生成工程とを有する
ことを特徴とする携帯端末の情報入力方法。
【請求項３４】  少なくとも文字を表示画面に表示する表示工程と、
少なくとも単位文字を入力するための入力工程と、
少なくとも複数の単語及び複数の文例からなる辞書情報を格納する複数の異なる辞書を状況に応じて切り替えて使用し、上記入力工程による入力及び／又は既に確定した文字列に基づいて、上記使用辞書から上記表示画面に表示する複数の単語及び／又は文例を検索する検索工程と、
上記検索工程により検索されて上記表示画面に表示された複数の単語及び／又は文例の中から所望の単語及び／又は文例を選択する選択工程と、
上記入力工程により入力された仮名文字列を、漢字を含む文字列に変換する仮名漢字変換工程と、
上記選択工程により選択された単語及び／又は文例と上記仮名漢字変換工程により変換された文字列とから、確定した文字列の情報を生成する文字列生成工程とを有する
ことを特徴とする携帯端末の情報入力方法。
【請求項３５】  それぞれ少なくとも複数の単語及び複数の文例からなる辞書情報を複数格納する辞書格納手段と、
辞書検索の際の検索条件を入力する検索条件入力手段と、
上記検索入力手段から入力された検索条件に基づいて、上記辞書格納手段から所望の単語及び／又は文例を検索すると検索手段とを備え、
上記検索手段は、上記検索時に、上記辞書格納手段に格納されている複数の異なる辞書情報を状況に応じて切り替えて使用することを特徴とする辞書検索装置。
【請求項３６】  それぞれ少なくとも複数の単語及び複数の文例からなる辞書情報を複数格納する辞書に対する辞書検索の際の検索条件を入力する検索条件入力工程と、
上記検索入力工程により入力された検索条件に基づいて、上記辞書から所望の単語及び／又は文例を検索すると検索工程とを備え、
上記検索工程では、上記検索時に、上記辞書に格納されている複数の異なる辞書情報を状況に応じて切り替えて使用することを特徴とする辞書検索方法。
【請求項３７】  少なくとも文字を表示画面に表示するステップと、
少なくとも単位文字を入力するためのステップと、
少なくとも複数の単語及び複数の文例からなる辞書情報を格納する複数の異なる辞書を状況に応じて切り替えて使用し、上記入力工程による入力及び／又は既に確定した文字列に基づいて、上記使用辞書から上記表示画面に表示する複数の単語及び／又は文例を検索するステップと、
回転操作に応じて、上記検索されて上記表示画面に表示された複数の単語及び／又は文例の中から所望の単語及び／又は文例を選択するステップと、
上記選択された単語及び／又は文例から、確定した文字列の情報を生成するステップとを含むことを特徴とするプログラムを情報処理装置に実行させる媒体。
【請求項３８】  少なくとも文字を表示画面に表示するステップと、
少なくとも単位文字を入力するためのステップと、
少なくとも複数の単語及び複数の文例からなる辞書情報を格納する複数の異なる辞書を状況に応じて切り替えて使用し、上記入力工程による入力及び／又は既に確定した文字列に基づいて、上記使用辞書から上記表示画面に表示する複数の単語及び／又は文例を検索するステップと、
上記検索されて上記表示画面に表示された複数の単語及び／又は文例の中から所望の単語及び／又は文例を選択するステップと、
上記入力された仮名文字列を、漢字を含む文字列に変換するステップと、
上記選択された単語及び／又は文例と上記仮名漢字変換された文字列とから、確定した文字列の情報を生成するステップとを含むことを特徴とするプログラムを情報処理装置に実行させる媒体。
【請求項３９】  それぞれ少なくとも複数の単語及び複数の文例からなる辞書情報を複数格納する辞書に対する辞書検索の際の検索条件を入力するステップと、
上記入力された検索条件に基づいて、上記辞書から所望の単語及び／又は文例を検索するとステップとを備え、
上記検索時に、上記辞書に格納されている複数の異なる辞書情報を状況に応じて切り替えて使用することを特徴とするプログラムを情報処理装置に実行させる媒体。
【請求項４０】  少なくとも文字を表示可能な表示手段と、
少なくとも複数の単語及び複数の文例からなる辞書情報を格納する辞書格納手段と、
少なくとも単位文字を入力するための入力手段と、
上記入力手段からの入力及び／又は既に確定した文字列に基づいて、上記表示手段に表示する複数の単語及び／又は文例を上記辞書格納手段から検索する検索手段と、
回転操作に応じて、上記検索手段により検索されて上記表示手段に表示された複数の単語及び／又は文例の中から所望の単語及び／又は文例を選択する選択手段と、
上記選択手段により選択された単語及び／又は文例から、確定した文字列の情報を生成する文字列生成手段と、
少なくとも文字列の情報を送受信可能な送受信手段とを有し、
上記辞書格納手段は、複数の異なる辞書を格納し、
上記検索手段は、上記検索時に、上記辞書格納手段に格納されている複数の異なる辞書を状況に応じて切り替えて使用することを特徴とする携帯端末に対して、上記複数の単語及び複数の文例からなる辞書情報を提供する媒体。
【請求項４１】  少なくとも文字を表示可能な表示手段と、
少なくとも複数の単語及び複数の文例からなる辞書情報を格納する辞書格納手段と、
少なくとも単位文字を入力するための入力手段と、
上記入力手段からの入力及び／又は既に確定した文字列に基づいて、上記表示手段に表示する複数の単語及び／又は文例を上記辞書格納手段から検索する検索手段と、
上記検索手段により検索されて上記表示手段に表示された複数の単語及び／又は文例の中から所望の単語及び／又は文例を選択する選択手段と、
上記入力手段から入力された仮名文字列を漢字を含む文字列に変換する仮名漢字変換手段と、
上記選択手段により選択された単語及び／又は文例と上記仮名漢字変換手段により変換された文字列とから、確定した文字列の情報を生成する文字列生成手段と、
少なくとも文字列の情報を送受信可能な送受信手段とを有し、
上記辞書格納手段は、複数の異なる辞書を格納し、
上記検索手段は、上記検索時に、上記辞書格納手段に格納されている複数の異なる辞書を状況に応じて切り替えて使用することを特徴とする携帯端末に対して、上記複数の単語及び複数の文例からなる辞書情報を提供する媒体。
【請求項４２】  それぞれ少なくとも複数の単語及び複数の文例からなる辞書情報を複数格納する辞書格納手段と、
辞書検索の際の検索条件を入力する検索条件入力手段と、
上記検索入力手段から入力された検索条件に基づいて、上記辞書格納手段から所望の単語及び／又は文例を検索すると検索手段とを備え、
上記検索手段は、上記検索時に、上記辞書格納手段に格納されている複数の異なる辞書情報を状況に応じて切り替えて使用することを特徴とする辞書検索装置に対して、上記複数の単語及び複数の文例からなる辞書情報を提供する媒体。
【手続補正２】
【補正対象書類名】明細書
【補正対象項目名】０００６
【補正方法】変更
【補正の内容】
【０００６】
【課題を解決するための手段】
本発明の携帯端末は、少なくとも文字を表示可能な表示手段と、少なくとも複数の単語及び複数の文例からなる辞書情報を格納する辞書格納手段と、少なくとも単位文字を入力するための入力手段と、上記入力手段からの入力及び／又は既に確定した文字列に基づいて、上記表示手段に表示する複数の単語及び／又は文例を上記辞書格納手段から検索する検索手段と、回転操作に応じて、上記検索手段により検索されて上記表示手段に表示された複数の単語及び／又は文例の中から所望の単語及び／又は文例を選択する選択手段と、上記選択手段により選択された単語及び／又は文例から、確定した文字列の情報を生成する文字列生成手段と、少なくとも文字列の情報を送受信可能な送受信手段とを有し、上記辞書格納手段は、複数の異なる辞書を格納し、上記検索手段は、上記検索時に、上記辞書格納手段に格納されている複数の異なる辞書を状況に応じて切り替えて使用することにより、上述した課題を解決する。
【手続補正３】
【補正対象書類名】明細書
【補正対象項目名】０００７
【補正方法】変更
【補正の内容】
【０００７】
また、本発明の携帯端末は、少なくとも文字を表示可能な表示手段と、少なくとも複数の単語及び複数の文例からなる辞書情報を格納する辞書格納手段と、少なくとも単位文字を入力するための入力手段と、上記入力手段からの入力及び／又は既に確定した文字列に基づいて、上記表示手段に表示する複数の単語及び／又は文例を上記辞書格納手段から検索する検索手段と、上記検索手段により検索されて上記表示手段に表示された複数の単語及び／又は文例の中から所望の単語及び／又は文例を選択する選択手段と、上記入力手段から入力された仮名文字列を漢字を含む文字列に変換する仮名漢字変換手段と、上記選択手段により選択された単語及び／又は文例と上記仮名漢字変換手段により変換された文字列とから、確定した文字列の情報を生成する文字列生成手段と、少なくとも文字列の情報を送受信可能な送受信手段とを有し、上記辞書格納手段は、複数の異なる辞書を格納し、上記検索手段は、上記検索時に、上記辞書格納手段に格納されている複数の異なる辞書を状況に応じて切り替えて使用することにより、上述した課題を解決する。
【手続補正４】
【補正対象書類名】明細書
【補正対象項目名】０００８
【補正方法】変更
【補正の内容】
【０００８】
次に、本発明の携帯端末の情報入力方法は、少なくとも文字を表示画面に表示する表示工程と、少なくとも単位文字を入力するための入力工程と、少なくとも複数の単語及び複数の文例からなる辞書情報を格納する複数の異なる辞書を状況に応じて切り替えて使用し、上記入力工程による入力及び／又は既に確定した文字列に基づいて、上記使用辞書から上記表示画面に表示する複数の単語及び／又は文例を検索する検索工程と、回転操作に応じて、上記検索工程により検索されて上記表示画面に表示された複数の単語及び／又は文例の中から所望の単語及び／又は文例を選択する選択工程と、上記選択工程により選択された単語及び／又は文例から、確定した文字列の情報を生成する文字列生成工程とを有することにより、上述した課題を解決する。
【手続補正５】
【補正対象書類名】明細書
【補正対象項目名】０００９
【補正方法】変更
【補正の内容】
【０００９】
また、本発明の携帯端末の情報入力方法は、少なくとも文字を表示画面に表示する表示工程と、少なくとも単位文字を入力するための入力工程と、少なくとも複数の単語及び複数の文例からなる辞書情報を格納する複数の異なる辞書を状況に応じて切り替えて使用し、上記入力工程による入力及び／又は既に確定した文字列に基づいて、上記使用辞書から上記表示画面に表示する複数の単語及び／又は文例を検索する検索工程と、上記検索工程により検索されて上記表示画面に表示された複数の単語及び／又は文例の中から所望の単語及び／又は文例を選択する選択工程と、上記入力工程により入力された仮名文字列を、漢字を含む文字列に変換する仮名漢字変換工程と、上記選択工程により選択された単語及び／又は文例と上記仮名漢字変換工程により変換された文字列とから、確定した文字列の情報を生成する文字列生成工程とを有することにより、上述した課題を解決する。
【手続補正６】
【補正対象書類名】明細書
【補正対象項目名】００１２
【補正方法】変更
【補正の内容】
【００１２】
次に、本発明の媒体は、少なくとも文字を表示画面に表示するステップと、少なくとも単位文字を入力するためのステップと、少なくとも複数の単語及び複数の文例からなる辞書情報を格納する複数の異なる辞書を状況に応じて切り替えて使用し、上記入力工程による入力及び／又は既に確定した文字列に基づいて、上記使用辞書から上記表示画面に表示する複数の単語及び／又は文例を検索するステップと、回転操作に応じて、上記検索されて上記表示画面に表示された複数の単語及び／又は文例の中から所望の単語及び／又は文例を選択するステップと、上記選択された単語及び／又は文例から、確定した文字列の情報を生成するステップとを含むことを特徴とするプログラムを情報処理装置に実行させることにより、上述した課題を解決する。
【手続補正７】
【補正対象書類名】明細書
【補正対象項目名】００１３
【補正方法】変更
【補正の内容】
【００１３】
また、本発明の媒体は、少なくとも文字を表示画面に表示するステップと、少なくとも単位文字を入力するためのステップと、少なくとも複数の単語及び複数の文例からなる辞書情報を格納する複数の異なる辞書を状況に応じて切り替えて使用し、上記入力工程による入力及び／又は既に確定した文字列に基づいて、上記使用辞書から上記表示画面に表示する複数の単語及び／又は文例を検索するステップと、上記検索されて上記表示画面に表示された複数の単語及び／又は文例の中から所望の単語及び／又は文例を選択するステップと、上記入力された仮名文字列を、漢字を含む文字列に変換するステップと、上記選択された単語及び／又は文例と上記仮名漢字変換された文字列とから、確定した文字列の情報を生成するステップとを含むことを特徴とするプログラムを情報処理装置に実行させることにより、上述した課題を解決する。
【手続補正８】
【補正対象書類名】明細書
【補正対象項目名】００１５
【補正方法】変更
【補正の内容】
【００１５】
また、本発明の媒体は、少なくとも文字を表示可能な表示手段と、少なくとも複数の単語及び複数の文例からなる辞書情報を格納する辞書格納手段と、少なくとも単位文字を入力するための入力手段と、上記入力手段からの入力及び／又は既に確定した文字列に基づいて、上記表示手段に表示する複数の単語及び／又は文例を上記辞書格納手段から検索する検索手段と、回転操作に応じて、上記検索手段により検索されて上記表示手段に表示された複数の単語及び／又は文例の中から所望の単語及び／又は文例を選択する選択手段と、上記選択手段により選択された単語及び／又は文例から、確定した文字列の情報を生成する文字列生成手段と、少なくとも文字列の情報を送受信可能な送受信手段とを有し、上記辞書格納手段は、複数の異なる辞書を格納し、上記検索手段は、上記検索時に、上記辞書格納手段に格納されている複数の異なる辞書を状況に応じて切り替えて使用することを特徴とする携帯端末に対して、上記複数の単語及び複数の文例からなる辞書情報を提供することにより、上述した課題を解決する。
【手続補正９】
【補正対象書類名】明細書
【補正対象項目名】００１６
【補正方法】変更
【補正の内容】
【００１６】
また、本発明の媒体は、少なくとも文字を表示可能な表示手段と、少なくとも複数の単語及び複数の文例からなる辞書情報を格納する辞書格納手段と、少なくとも単位文字を入力するための入力手段と、上記入力手段からの入力及び／又は既に確定した文字列に基づいて、上記表示手段に表示する複数の単語及び／又は文例を上記辞書格納手段から検索する検索手段と、上記検索手段により検索されて上記表示手段に表示された複数の単語及び／又は文例の中から所望の単語及び／又は文例を選択する選択手段と、上記入力手段から入力された仮名文字列を漢字を含む文字列に変換する仮名漢字変換手段と、上記選択手段により選択された単語及び／又は文例と上記仮名漢字変換手段により変換された文字列とから、確定した文字列の情報を生成する文字列生成手段と、少なくとも文字列の情報を送受信可能な送受信手段とを有し、上記辞書格納手段は、複数の異なる辞書を格納し、上記検索手段は、上記検索時に、上記辞書格納手段に格納されている複数の異なる辞書を状況に応じて切り替えて使用することを特徴とする携帯端末に対して、上記複数の単語及び複数の文例からなる辞書情報を提供することにより、上述した課題を解決する。